(57)【要約】【課題】  携帯トイレを持ちやすくして、使用時のずれを少なくし、尿漏れなどを防止、またコストを抑えた携帯トイレとする。【解決手段】  携帯トイレの尿受け袋（３）上部入り口に、尿受け袋（３）がよじれないように、入り口周囲に帯状の、補強用受け口（１）を取付け、その両側面に指を入れる筒状の、指入れ部（２）を設置した携帯トイレ。  また、補強用受け口（１）に、吸水性のある素材を使用し、吸水性能付補強用受け口（４）とした携帯トイレ。  補強用受け口（１）、吸水性能付補強用受け口（４）の肌に当たる部分をＵ字状にし、指入れ部（２）を設置した携帯トイレ。【選択図】  図１
2011156189.tif 000002
【特許請求の範囲】
【請求項１】
携帯トイレの尿を入れる、尿受け袋（３）の入り口部分周囲を、袋がよじれないよう帯状に、補強用受け口（１）を取り付け、その入り口部分の両側面に指を入れる筒状の、指入れ部（２）を設置した携帯トイレ。
【請求項２】
上記の補強用受け口（１）を吸水作用のある、吸水性能付補強用受け口（４）とし、その入り口部分の両側面に指を入れる筒状の、指入れ部（２）を設置した携帯トイレ。
【請求項３】
請求項１における、補強用受け口（１）の肌に当たる形状を、恥部に押し付けやすいＵ字状にした携帯トイレ。
【請求項４】
請求項２における、吸水性能付補強用受け口（４）部分の肌に当たる形状を、恥部に押し付けやすいＵ字状にした携帯トイレ。
【請求項５】
請求項１、請求項２、請求項３、請求項４の携帯トイレにおいて、尿受け袋（３）の上部部分に、尿の逆流を防止する、ジッパー（５）を設けた携帯トイレ。
【請求項６】
請求項１、請求項２、請求項３、請求項４、請求項５の尿受け袋（３）の中に、尿を吸収、固形化できる、尿凝固剤（６）を入れた携帯トイレ。
【発明の詳細な説明】
【技術分野】
【０００１】
本発明は、車やバスなどでの緊急用トイレ、病気や障害者の方の介護用トイレなどとしての利用に関する。
【背景技術】
【０００２】
従来の携帯トイレは持ちにくく、使用時にずれることがあり、持ちやすいプラスチック等の硬い受け口ではコストがかかりすぎた。
【先行技術文献】
【特許文献】
【０００３】
【特許文献１】登録実用新案第３０７７４４５号
【特許文献２】特開２００６−１４１５８４号  公報
【発明の概要】
【発明が解決しようとする課題】
【０００４】
携帯トイレを持ちやすくして、ずれなどによる尿漏れをなくし、低コストの物とする。
【課題を解決するための手段】
【０００５】
携帯トイレを持ちやすくする為に、尿受け袋（３）入り口部分によじれなどを防止するための、補強用受け口（１）及び、吸水性能付補強用受け口（４）を設け、入り口部分外側の両側面に、指が入る筒状の、指入れ部（２）を設置する。
【発明の効果】
【０００６】
指入れ部（２）により携帯トイレが持ちやすくなる為、ずれにくくなる。
【０００７】
また、プラスチックなどの素材に比べるとコストも安く済む。
【図面の簡単な説明】
【０００８】
【図１】請求項１の全体図である
【図２】請求項２の上部の図である
【図３】請求項３の上部の図である
【図４】請求項４の全体図である
【図５】請求項１の上部断面図である
【図６】請求項６の全体図である
【発明を実施するための形態】
【０００９】
図１の携帯トイレは、素材がビニールなどの水を通さない縦長で袋状の、尿をためる部分である、尿受け袋（３）上部入り口の周囲に、紙や不織布などのよじれずたたむことが出来る素材で出来た、幅が２〜４センチ程度で、帯状の物を一周させる形で取り付け、補強用受け口（１）とし、その両側面二箇所に、紙や不織布などの素材で出来た、指を入れることのできる、直径２．５センチ程度、長さ４センチ程度で筒状の、指入れ部（２）を設置し親指、人差し指を入れ使用する。
【００１０】
図２は、上記の補強用受け口（１）に、吸水性のある素材を加え、吸水性能付補強用受け口（４）とし、横漏れ防止機能を持たせた。
【００１１】
図３は、補強用受け口（１）の肌に当たる部分を、緩やかなＵ字状とし、女性の使用時に隙間のできにくい形状とし、漏れやずれを防止する。
【００１２】
図４は、吸水性能付補強用受け口（４）の肌に当たる部分を、緩やかなＵ字状とし、女性の使用時に隙間のできにくい形状とし漏れやずれを防止する。
【００１３】
図６は、尿受け袋（３）の補強用受け口（１）及び、吸水性能付補強用受け口（４）から下１センチ程の部分に、尿受け袋（３）に溜まった尿が使用後漏れ出さないように、ジッパー（５）を取り付け、尿の逆流防止機能を持たせた。
【００１４】
なお、尿受け袋（３）部分に、水分を固形化できる素材の、尿凝固剤（６）を入れ、保管やゴミとして出すときに出しやすくなる。
【産業上の利用可能性】
【００１５】
携帯トイレに指入れ部（２）を付けることにより、携帯トイレが持ちやすくなる為、つまんだり密着させることが出来、ずれの防止になる。また、素材も安価で済みコストを抑えることが出来る。
【符号の説明】
【００１６】
１  補強用受け口
２  指入れ部
３  尿受け袋
４  吸水性能付補強用受け口
５  ジッパー
６  尿凝固剤
【図１】
2011156189.tif 000003
【図２】
2011156189.tif 000004
【図３】
2011156189.tif 000005
【図４】
2011156189.tif 000006
【図５】
2011156189.tif 000007
【図６】
2011156189.tif 000008
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
携帯トイレの尿を入れる、尿受け袋（３）の入り口部分周囲に、袋がよじれないよう帯状に、補強用受け口（１）を取り付け、指を入れる筒状の、指入れ部（２）を、尿受け袋（３）入り口部分の両側面にそれぞれに１個ずつ計２個設置し、補強用受け口（１）の肌に当たる形状を、側面視で、指入れ部（２）を設けていない部分の高さを高くし、指入れ部（２）を設けた部分の高さを低くして、略Ｕ字状にした携帯トイレ。
【請求項２】
請求項１における、補強用受け口（１）を吸水作用のある、吸水性能付補強用受け口（４）とし、その入り口部分の両側面に指を入れる筒状の、指入れ部（２）を設置した携帯トイレ。
【請求項３】
請求項１又は、請求項２の携帯トイレにおいて、尿受け袋（３）の上部部分に、尿の逆流を防止する、ジッパー（５）を設けた携帯トイレ。
【請求項４】
請求項１、請求項２又は、請求項３の尿受け袋（３）の中に、尿を吸収、固形化できる、尿凝固剤（６）を入れた携帯トイレ。
【手続補正２】
【補正対象書類名】明細書
【補正対象項目名】０００５
【補正方法】変更
【補正の内容】
【０００５】
携帯トイレを持ちやすくする為に、尿受け袋（３）入り口部分によじれなどを防止するための、補強用受け口（１）及び、吸水性能付補強用受け口（４）を設け、指を入れる筒状の、指入れ部（２）を、尿受け袋（３）入り口部分の両側面にそれぞれに１個ずつ計２個設ける。また、女性用として上記補強用受け口（１）及び、吸水性能付補強用受け口（４）の肌に当たる形状を、側面視で、指入れ部（２）を設けていない部分の高さを高くし、指入れ部（２）を設けた部分の高さを低くして、略Ｕ字状にした携帯トイレ。
【手続補正３】
【補正対象書類名】明細書
【補正対象項目名】０００８
【補正方法】変更
【補正の内容】
【０００８】
【図１】指入れ部（２）付携帯トイレの斜視図である
【図２】吸水性能付補強用受け口（４）を付けた斜視図である
【図３】請求項１の上部の図である
【図４】請求項２の全体図である
【図５】請求項１の上部断面図である
【図６】請求項４の全体図である